【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
画像供給装置と記録装置とが通信インターフェースを介して直接通信し、前記画像供給装置から前記記録装置に画像データを送信して記録する記録システムであって、  前記画像供給装置は、
前記画像供給装置と前記記録装置とに実装されたアプリケーションによる通信手順の確立後、前記記録装置にリクエストを発行する発行手段と、
前記リクエストに伴うデータ転送に要する時間を予測する予測手段と、
前記発行手段が前記リクエストを発行してから、前記リクエストに対する前記記録装置からの応答を受信するまでの経過時間を、前記予測手段により予測された前記時間に基づいて推測する推測手段と、
前記推測手段により推測した経過時間内に前記記録装置から前記リクエストに対する応答がない場合は前記リクエストを無効にする手段と、
を有することを特徴とする記録システム。
【請求項２】
前記予測手段は、前記データ転送で転送するデータのデータサイズを取得し、取得した前記データサイズに応じて当該データ転送に要する時間を予測することを特徴とする請求項１に記載の記録システム。
【請求項３】
前記予測手段は、
データ転送量に対応するデータ転送時間を記憶するテーブルと、
実際のデータ転送に要した時間を計時する計時手段と、
前記計時手段による計時値に基づいて前記テーブルに記憶されているデータ転送時間を修正する修正手段とを有し、
前記修正手段により修正されたデータ転送時間に基づいて、前記リクエストに伴うデータ転送に要する時間を予測することを特徴とする請求項１に記載の記録システム。
【請求項４】
前記通信インターフェースは複数の通信階層を有し、前記リクエスト及び応答を通信する通信階層は、前記データ転送を行う通信階層よりも上位にあることを特徴とする請求項１乃至３のいずれか１項に記載の記録システム。
【請求項５】
記録装置と通信インターフェースを介して直接通信し、前記記録装置に画像データを送信して記録させる画像供給装置であって、
実装されたアプリケーションによる通信手順の確立後、前記記録装置にリクエストを発行する発行手段と、
前記リクエストに伴うデータ転送に要する時間を予測する予測手段と、
前記発行手段が前記リクエストを発行してから、前記リクエストに対する前記記録装置からの応答を受信するまでの経過時間を、前記予測手段により予測された前記時間に基づいて推測する推測手段と、
前記推測手段により推測した経過時間内に前記記録装置から前記リクエストに対する応答がない場合は前記リクエストを無効にする手段と、
を有することを特徴とする画像供給装置。
【請求項６】
前記予測手段は、前記データ転送で転送するデータのデータサイズを取得し、取得した前記データサイズに応じて当該データ転送に要する時間を予測することを特徴とする請求項５に記載の画像供給装置。
【請求項７】
前記予測手段は、
データ転送量に対応するデータ転送時間を記憶するテーブルと、
実際のデータ転送に要した時間を計時する計時手段と、
前記計時手段による計時値に基づいて前記テーブルに記憶されているデータ転送時間を修正する修正手段とを有し、
前記修正手段により修正されたデータ転送時間に基づいて、前記リクエストに伴うデータ転送に要する時間を予測することを特徴とする請求項５に記載の画像供給装置。
【請求項８】
前記通信インターフェースは複数の通信階層を有し、前記リクエスト及び応答を通信する通信階層は、前記データ転送を行う通信階層よりも上位にあることを特徴とする請求項５乃至７のいずれか１項に記載の画像供給装置。
【請求項９】
画像供給装置と通信インターフェースを介して直接通信し、前記画像供給装置からの画像データを受信して記録する記録装置であって、
実装されたアプリケーションによる通信手順の確立後、前記画像供給装置にリクエストを発行する発行手段と、
前記リクエストに伴うデータ転送に要する時間を予測する予測手段と、
前記発行手段が前記リクエストを発行してから、前記リクエストに対する前記画像供給装置からの応答を受信するまでの経過時間を、前記予測手段により予測された前記時間に基づいて推測する推測手段と、
前記推測手段により推測した経過時間内に前記画像供給装置から前記リクエストに対する応答がない場合は前記リクエストを無効にする手段と、
を有することを特徴とする記録装置。
【請求項１０】
前記予測手段は、前記データ転送で転送するデータのデータサイズを取得し、取得した前記データサイズに応じて当該データ転送に要する時間を予測することを特徴とする請求項９に記載の記録装置。
【請求項１１】
前記予測手段は、
データ転送量に対応するデータ転送時間を記憶するテーブルと、
実際のデータ転送に要した時間を計時する計時手段と、
前記計時手段による計時値に基づいて前記テーブルに記憶されているデータ転送時間を修正する修正手段とを有し、
前記修正手段により修正されたデータ転送時間に基づいて、前記リクエストに伴うデータ転送に要する時間を予測することを特徴とする請求項９に記載の記録装置。
【請求項１２】
前記通信インターフェースは複数の通信階層を有し、前記リクエスト及び応答を通信する通信階層は、前記データ転送を行う通信階層よりも上位にあることを特徴とする請求項９乃至１１のいずれか１項に記載の記録装置。
【請求項１３】
画像供給装置と記録装置とが通信インターフェースを介して直接通信し、前記画像供給装置から前記記録装置に画像データを送信して記録する記録システムの制御方法であって、
前記画像供給装置は、
前記画像供給装置と前記記録装置とに実装されたアプリケーションによる通信手順の確立後、前記記録装置にリクエストを発行する発行工程と、
前記リクエストに伴うデータ転送に要する時間を予測する予測工程と、
前記発行工程で前記リクエストを発行してから、前記リクエストに対する前記記録装置からの応答を受信するまでの経過時間を、前記予測工程で予測された前記時間に基づいて推測する推測工程と、
前記推測工程で推測した経過時間内に前記記録装置から応答がない場合は前記リクエストを無効にする工程とを実行することを特徴とする制御方法。
【請求項１４】
前記画像供給装置は、前記予測工程において、
実際のデータ転送に要した時間を計時する計時工程と、
前記計時工程での計時値に基づいて、データ転送量に対応するデータ転送時間を記憶するテーブルに記憶されているデータ転送時間を修正する修正工程とを実行し、
前記修正工程で修正されたデータ転送時間に基づいて、前記リクエストに伴うデータ転送に要する時間を予測することを特徴とする請求項１３に記載の制御方法。
【請求項１５】
前記通信インターフェースは複数の通信階層を有し、前記リクエスト及び応答を通信する通信階層は、前記データ転送を行う通信階層よりも上位にあることを特徴とする請求項１３又は１４に記載の制御方法。
【請求項１６】
請求項１３乃至１５のいずれか１項に記載の制御方法をコンピュータに実行させるためのプログラム。
【手続補正２】
【補正対象書類名】明細書
【補正対象項目名】０００８
【補正方法】変更
【補正の内容】
【０００８】
上記目的を達成するために本発明の画像供給装置は以下のような構成を備える。即ち、
記録装置と通信インターフェースを介して直接通信し、前記記録装置に画像データを送信して記録させる画像供給装置であって、
実装されたアプリケーションによる通信手順の確立後、前記記録装置にリクエストを発行する発行手段と、
前記リクエストに伴うデータ転送に要する時間を予測する予測手段と、
前記発行手段が前記リクエストを発行してから、前記リクエストに対する前記記録装置からの応答を受信するまでの経過時間を、前記予測手段により予測された前記時間に基づいて推測する推測手段と、
前記推測手段により推測した経過時間内に前記記録装置から前記リクエストに対する応答がない場合は前記リクエストを無効にする手段とを有することを特徴とする。
【手続補正３】
【補正対象書類名】明細書
【補正対象項目名】０００９
【補正方法】変更
【補正の内容】
【０００９】
上記目的を達成するために本発明の記録システムは以下のような構成を備える。即ち、
画像供給装置と記録装置とが通信インターフェースを介して直接通信し、前記画像供給装置から前記記録装置に画像データを送信して記録する記録システムであって、  前記画像供給装置は、
前記画像供給装置と前記記録装置とに実装されたアプリケーションによる通信手順の確立後、前記記録装置にリクエストを発行する発行手段と、
前記リクエストに伴うデータ転送に要する時間を予測する予測手段と、
前記発行手段が前記リクエストを発行してから、前記リクエストに対する前記記録装置からの応答を受信するまでの経過時間を、前記予測手段により予測された前記時間に基づいて推測する推測手段と、
前記推測手段により推測した経過時間内に前記記録装置から前記リクエストに対する応答がない場合は前記リクエストを無効にする手段とを有することを特徴とする。
【手続補正４】
【補正対象書類名】明細書
【補正対象項目名】００１０
【補正方法】変更
【補正の内容】
【００１０】
上記目的を達成するために本発明の記録システムの制御方法は以下のような工程を備える。即ち、
画像供給装置と記録装置とが通信インターフェースを介して直接通信し、前記画像供給装置から前記記録装置に画像データを送信して記録する記録システムの制御方法であって、
前記画像供給装置は、
前記画像供給装置と前記記録装置とに実装されたアプリケーションによる通信手順の確立後、前記記録装置にリクエストを発行する発行工程と、
前記リクエストに伴うデータ転送に要する時間を予測する予測工程と、
前記発行工程で前記リクエストを発行してから、前記リクエストに対する前記記録装置からの応答を受信するまでの経過時間を、前記予測工程で予測された前記時間に基づいて推測する推測工程と、
前記推測工程で推測した経過時間内に前記記録装置から応答がない場合は前記リクエストを無効にする工程とを実行することを特徴とする。